(57)【要約】【課題】コントラスト低下などによる視認性の悪化を低減したり、周囲の環境下で画面が不自然に目立つのを抑制したりすることの可能な表示装置を提供する。【解決手段】本開示の一実施の形態の表示装置は、表示パネルと、紫外光により発色し可視光により消色もしくは淡色化するフォトクロミック層と、紫外光吸収層とを備えている。表示パネルは、映像表示面と、映像表示面の下に設けられ、有機発光層を含む複数の画素とを有している。【選択図】図１
2019186503.tif 000002
【特許請求の範囲】
【請求項１】
映像表示面と、前記映像表示面の下に設けられ、有機発光層を含む複数の画素とを有する表示パネルと、
紫外光により発色し可視光により消色もしくは淡色化するフォトクロミック層と、
紫外光吸収層と
を備えた
表示装置。
【請求項２】
前記フォトクロミック層および前記紫外光吸収層は、前記有機発光層から見て前記映像表示面とは反対側にこの順で設けられている
請求項１に記載の表示装置。
【請求項３】
前記有機発光層は、電流印加により可視光および紫外光を含む光を発する有機層によって構成されている
請求項１または請求項２に記載の表示装置。
【請求項４】
前記表示パネルは、電流印加により紫外光を発する紫外発光層を更に有する
請求項１または請求項２に記載の表示装置。
【請求項５】
前記紫外発光層は、前記有機発光層と電気的に直列に接続されている
請求項４に記載の表示装置。
【請求項６】
前記画素は、前記有機発光層を含む第１副画素と、前記紫外発光層を含む第２副画素とを含んで構成されている
請求項４に記載の表示装置。
【請求項７】
前記紫外発光層は、前記有機発光層から見て前記映像表示面とは反対側に設けられている
請求項５に記載の表示装置。
【請求項８】
前記表示パネルと、前記フォトクロミック層との間に設けられた導光板と、
前記導光板のエッジに紫外光を照射する紫外光源と
を更に備えた
請求項１または請求項２に記載の表示装置。
【請求項９】
前記フォトクロミック層および前記紫外光吸収層は、前記有機発光層から見て前記映像表示面側にこの順で設けられている
請求項１に記載の表示装置。
【請求項１０】
前記表示パネルは、前記有機発光層から見て前記映像表示面側に、電流印加により紫外光を発する紫外発光層を更に有する
請求項９に記載の表示装置。
【請求項１１】
前記紫外発光層は、スイッチを介して、前記有機発光層と電気的に並列に接続されており、
当該表示装置は、前記表示パネルを駆動する駆動部を更に備え、
前記駆動部は、前記スイッチを制御することにより、前記有機発光層への電流印加と、前記紫外発光層への電流印加とを切り替える
請求項１０に記載の表示装置。
【請求項１２】
前記表示パネルは、前記映像表示面内に、当該表示パネルの背後からの可視光を透過する光透過領域を有する
請求項１から請求項１１のいずれか一項に記載の表示装置。
【発明の詳細な説明】
【技術分野】
【０００１】
本開示は、表示装置に関する。
【背景技術】
【０００２】
有機電界発光素子を用いた表示装置として、種々のものが提案されている（例えば、特許文献１，２参照）。
【先行技術文献】
【特許文献】
【０００３】
【特許文献１】特開２０１４−７２１２６号公報
【特許文献２】特開２０１３−１５６６３５号公報
【発明の概要】
【発明が解決しようとする課題】
【０００４】
ところで、上記の表示装置において、表示領域に、ディスプレイの背後から入射する光が透過する光透過領域が設けられている場合に、コントラスト低下などにより視認性が悪化しやすい。また、上記の表示装置において、映像を表示していない場合に画面が黒表示となるとき、黒表示の画面が周囲の環境下で不自然に目立ってしまいやすい。そのため、コントラスト低下などによる視認性の悪化を低減したり、周囲の環境下で画面が不自然に目立つのを抑制したりすることの可能な表示装置を提供することが望ましい。
【課題を解決するための手段】
【０００５】
本開示の一実施の形態の表示装置は、表示パネルと、紫外光により発色し可視光により消色もしくは淡色化するフォトクロミック層と、紫外光吸収層とを備えている。表示パネルは、映像表示面と、映像表示面の下に設けられ、有機発光層を含む複数の画素とを有している。
【０００６】
本開示の一実施の形態の表示装置では、表示パネル、フォトクロミック層および紫外光吸収層が設けられている。これにより、例えば、映像表示時に、フォトクロミック層に紫外光を照射することにより、コントラストが改善される。また、例えば、映像非表示時に、フォトクロミック層に紫外光を照射することにより、フォトクロミック層が周囲の環境になじむ色に変化する。
【発明の効果】
【０００７】
本開示の一実施の形態の表示装置によれば、表示パネル、フォトクロミック層および紫外光吸収層を設けるようにしたので、コントラスト低下などによる視認性の悪化を低減したり、周囲の環境下で画面が不自然に目立つのを抑制したりすることができる。なお、本開示の効果は、ここに記載された効果に必ずしも限定されず、本明細書中に記載されたいずれの効果であってもよい。
【図面の簡単な説明】
【０００８】
【図１】本開示の一実施の形態に係る表示装置の概略構成例を表す図である。
【図２】図１の各画素に含まれる副画素の回路構成例を表す図である。
【図３】図１の表示パネルの概略構成例を表す図である。
【図４】図３の表示パネルのＡ−Ａ線での断面構成例を表す図である。
【図５】図３の表示パネルのＢ−Ｂ線での断面構成例を表す図である。
【図６】図１の各画素の発光の様子を表す図である。
【図７】変形例に係る各画素の発光の様子を表す図である。
【図８】図１の表示装置の概略構成の一変形例を表す図である。
【図９】図１の各画素に含まれる副画素の回路構成例を表す図である。
【図１０】図１の表示装置の概略構成の一変形例を表す図である。
【図１１】図１０の表示装置における紫外光の発光の様子を表す図である。
【図１２】図１の表示装置の概略構成の一変形例を表す図である。
【図１３】本開示の表示装置を備えた電子機器の外観の一例を斜視的に表す図である。
【発明を実施するための形態】
【０００９】
以下、本開示を実施するための形態について、図面を参照して詳細に説明する。以下に説明する実施の形態は、いずれも本開示の好ましい一具体例を示すものである。したがって、以下の実施の形態で示される数値、形状、材料、構成要素、構成要素の配置位置及び接続形態などは、一例であって本開示を限定する主旨ではない。よって、以下の実施の形態における構成要素のうち、本開示の最上位概念を示す独立請求項に記載されていない構成要素については、任意の構成要素として説明される。なお、各図は、模式図であり、必ずしも厳密に図示されたものではない。また、各図において、実質的に同一の構成に対しては同一の符号を付しており、重複する説明は省略又は簡略化する。
【００１０】
＜１．実施の形態＞
[構成]
図１は、本開示の一実施の形態に係る表示装置１の概略構成例を表したものである。図２は、表示装置１に設けられた各画素１１に含まれる副画素１２の回路構成の一例を表したものである。表示装置１は、映像表示面１Ａに映像を表示する。表示装置１は、例えば、表示パネル１０、フォトクロミック層２０、紫外光吸収層３０、コントローラ４０およびドライバ５０を備えている。本実施の形態では、表示パネル１０の主面が映像表示面１Ａとなっている。フォトクロミック層２０および紫外光吸収層３０は、表示パネル１０から見て、映像表示面１Ａとは反対側にこの順で設けられている。ドライバ５０は、例えば、表示パネル１０の外縁部分に実装されている。表示パネル１０は、行列状に配置された複数の画素１１を有している。コントローラ４０およびドライバ５０は、外部から入力された映像信号Ｄｉｎおよび同期信号Ｔｉｎに基づいて、表示パネル１０（複数の画素１１）を駆動する。
【００１１】
（表示パネル１０）
表示パネル１０は、コントローラ４０およびドライバ５０によって各画素１１がアクティブマトリクス駆動されることにより、外部から入力された映像信号Ｄｉｎおよび同期信号Ｔｉｎに基づく画像を表示する。表示パネル１０は、行方向に延在する複数の走査線ＷＳＬと、列方向に延在する複数の信号線ＤＴＬおよび複数の電源線ＤＳＬと、行列状に配置された複数の画素１１とを有している。
【００１２】
走査線ＷＳＬは、各画素１１の選択に用いられるものであり、各画素１１を所定の単位（例えば画素行）ごとに選択する選択パルスを各画素１１に供給するものである。信号線ＤＴＬは、映像信号Ｄｉｎに応じた信号電圧Ｖｓｉｇの、各画素１１への供給に用いられるものであり、信号電圧Ｖｓｉｇを含むデータパルスを各画素１１に供給するものである。電源線ＤＳＬは、各画素１１に電力を供給するものである。
【００１３】
各画素１１は、例えば、赤色光を発する副画素１２（１２Ｒ）、緑色光を発する副画素１２（１２Ｇ）、青色光を発する副画素１２（１２Ｂ）、および紫外光を発する副画素１２（１２Ｕ）を含んで構成されている。つまり、複数の副画素１２は、所定の数ごとにカラー画素（画素１１）としてグループ分けされている。なお、各画素１１は、例えば、さらに、他の色（例えば、白色や、黄色など）を発する副画素１２を含んで構成されていてもよい。各画素１１において、複数の副画素１２は、例えば、所定の方向（例えば行方向）に一列に並んで配置されている。副画素１２（１２Ｒ）、副画素１２（１２Ｇ）および副画素１２（１２Ｇ）のうち、少なくとも１つが、本開示の「第１副画素」の一具体例に相当する。副画素１２（１２Ｕ）が、本開示の「第２副画素」の一具体例に相当する。
【００１４】
各信号線ＤＴＬは、後述の水平セレクタ５１の出力端に接続されている。各画素列には、例えば、複数の信号線ＤＴＬが１本ずつ、割り当てられている。各走査線ＷＳＬは、後述のライトスキャナ５２の出力端に接続されている。各画素行には、例えば、複数の走査線ＷＳＬが１本ずつ、割り当てられている。各電源線ＤＳＬは、電源の出力端に接続されている。各画素行には、例えば、複数の電源線ＤＳＬが１本ずつ、割り当てられている。
【００１５】
各副画素１２は、画素回路１２−１と、有機電界発光素子１２−２とを有している。有機電界発光素子１２−２の構成については、後に詳述する。
【００１６】
画素回路１２−１は、有機電界発光素子１２−２の発光・消光を制御する。画素回路１２−１は、後述の書込走査によって各副画素１２に書き込んだ電圧を保持する機能を有している。画素回路１２−１は、例えば、駆動トランジスタＴｒ１、書込トランジスタＴｒ２および保持容量Ｃｓを含んで構成されている。
【００１７】
書込トランジスタＴｒ２は、駆動トランジスタＴｒ１のゲートに対する、映像信号Ｄｉｎに対応した信号電圧Ｖｓｉｇの印加を制御する。具体的には、書込トランジスタＴｒ２は、信号線ＤＴＬの電圧をサンプリングするとともに、サンプリングにより得られた電圧を駆動トランジスタＴｒ１のゲートに書き込む。駆動トランジスタＴｒ１は、有機電界発光素子１２−２に直列に接続されている。駆動トランジスタＴｒ１は、有機電界発光素子１２−２を駆動する。駆動トランジスタＴｒ１は、書込トランジスタＴｒ２によってサンプリングされた電圧の大きさに応じて有機電界発光素子１２−２に流れる電流を制御する。保持容量Ｃｓは、駆動トランジスタＴｒ１のゲート−ソース間に所定の電圧を保持するものである。保持容量Ｃｓは、所定の期間中に駆動トランジスタＴｒ１のゲート−ソース間電圧Ｖｇｓを一定に保持する役割を有する。なお、画素回路１２−１は、上述の２Ｔｒ１Ｃの回路に対して各種容量やトランジスタを付加した回路構成となっていてもよいし、上述の２Ｔｒ１Ｃの回路構成とは異なる回路構成となっていてもよい。
【００１８】
各信号線ＤＴＬは、後述の水平セレクタ５１の出力端と、書込トランジスタＴｒ２のソースまたはドレインとに接続されている。各走査線ＷＳＬは、後述のライトスキャナ５２の出力端と、書込トランジスタＴｒ２のゲートとに接続されている。各電源線ＤＳＬは、電源回路と、駆動トランジスタＴｒ１のソースまたはドレインに接続されている。
【００１９】
書込トランジスタＴｒ２のゲートは、走査線ＷＳＬに接続されている。書込トランジスタＴｒ２のソースまたはドレインが信号線ＤＴＬに接続されている。書込トランジスタＴｒ２のソースおよびドレインのうち信号線ＤＴＬに未接続の端子が駆動トランジスタＴｒ１のゲートに接続されている。駆動トランジスタＴｒ１のソースまたはドレインが電源線ＤＳＬに接続されている。駆動トランジスタＴｒ１のソースおよびドレインのうち電源線ＤＳＬに未接続の端子が有機電界発光素子２１−２の陽極２１に接続されている。保持容量Ｃｓの一端が駆動トランジスタＴｒ１のゲートに接続されている。保持容量Ｃｓの他端が駆動トランジスタＴｒ１のソースおよびドレインのうち有機電界発光素子２１−２側の端子に接続されている。
【００２０】
（フォトクロミック層２０）
フォトクロミック層２０は、例えば、紫外光により発色し可視光により消色もしくは淡色化するフォトクロミック化合物によって構成されている。フォトクロミック化合物としては、例えば、アゾベンゼン、フルギド、スピロピラン、ジアリ−ルエテン誘導体などが挙げられる。アゾベンゼンおよびフルギドは、紫外光により燈色に発色し、可視光により淡黄色に発色する。スピロピランおよびジアリ−ルエテン誘導体は、紫外光により青色に発色し、可視光により無色になる（消色する）。フォトクロミック層２０は、画素１１ごともしくは副画素１２ごとに１つずつ設けられた複数のフォトクロミック素子２１によって構成されていていてもよい。フォトクロミック層２０は、例えば、表示パネル１０の映像表示面１Ａと対向する領域全体に設けられている。
【００２１】
（紫外光吸収層３０）
紫外光吸収層３０は、例えば、紫外光を吸収する材料によって構成されている。紫外光吸収層３０は、フォトクロミック層２０を介して、表示パネル１０の裏面と対応する位置に設けられている。従って、紫外光吸収層３０は、外部からの紫外光が紫外光吸収層３０を介して、フォトクロミック層２０に入射するのを妨げている。紫外光吸収層３０は、紫外光を吸収する一方で可視光を透過する材料によって構成されていてもよい。
【００２２】
（ドライバ５０）
ドライバ５０は、例えば、水平セレクタ５１およびライトスキャナ５２を有している。水平セレクタ５１は、例えば、制御信号の入力に応じて（同期して）、コントローラ４０から入力されたアナログの信号電圧Ｖｓｉｇを、各信号線ＤＴＬに印加する。ライトスキャナ５２は、複数の副画素１２を所定の単位ごとに走査する。
【００２３】
（コントローラ４０）
次に、コントローラ４０について説明する。コントローラ４０は、例えば、外部から入力されたデジタルの映像信号Ｄｉｎに対して所定の補正を行い、それにより得られた映像信号に基づいて、信号電圧Ｖｓｉｇを生成する。コントローラ４０は、例えば、生成した信号電圧Ｖｓｉｇを水平セレクタ５１に出力し、外部から入力された同期信号Ｔｉｎに応じて（同期して）、ドライバ５０内の各回路に対して制御信号を出力する。
【００２４】
次に、図３〜図５を参照して、有機電界発光素子１２−２について説明する。図３は、表示パネル１０の概略構成例を表したものである。図４は、図３の表示パネル１０のＡ−Ａ線での断面構成例（つまり画素１１の行方向の断面構成例）を表したものである。図５は、図３の表示パネル１０のＢ−Ｂ線での断面構成例（つまり２つの画素１１の列方向の断面構成例）を表したものである。
【００２５】
図３において、「Ｒ」と記載されている箇所には、赤色光を発する副画素１２（１２Ｒ）が設けられており、「Ｇ」と記載されている箇所には、緑色光を発する副画素１２（１２Ｇ）が設けられており、「Ｂ」と記載されている箇所には、青色光を発する副画素１２（１２Ｂ）が設けられており、「Ｕ」と記載されている箇所には、紫外光を発する副画素１２（１２Ｕ）が設けられている。また、図３には、画素１１が、４つの副画素１２（１２Ｒ，１２Ｇ，１２Ｂ，１２Ｕ）によって構成されている場合が例示されている。
【００２６】
表示パネル１０は、映像表示面１Ａに、行列状に配置された複数の画素１１を有している。各画素１１は、例えば、上述したように、赤色光を発する副画素１２（１２Ｒ）、緑色光を発する副画素１２（１２Ｇ）、青色光を発する副画素１２（１２Ｂ）、および紫外光を発する副画素１２（１２Ｕ）を含んで構成されている。表示パネル１０において、各副画素１２は、可視光を透過する材料によって構成されている。従って、表示パネル１０は、映像表示面１Ａ内において、各副画素１２を介して、当該表示パネル１０の背後からの可視光を透過する。
【００２７】
副画素１２Ｒは、赤色光を発する有機電界発光素子１２−２（１２−２ｒ）を含んで構成されている。副画素１２Ｇは、緑色光を発する有機電界発光素子１２−２（１２−２ｇ）を含んで構成されている。副画素１２Ｂは、青色光を発する有機電界発光素子１２−２（１２−２ｂ）を含んで構成されている。副画素１２Ｕは、紫外光を発する有機電界発光素子１２−２（１２−２ｕ）を含んで構成されている。副画素１２Ｒ，１２Ｇ，１２Ｂ，１２Ｕは、例えば、ストライプ配列となっている。各画素１１において、例えば、副画素１２Ｒ，１２Ｇ，１２Ｂ，１２Ｕが、行方向に並んで配置されている。さらに、例えば、同一色の光を発する複数の副画素１２が、列方向に並んで配置されている。
【００２８】
表示パネル１０は、基板１７を有している。基板１７は、例えば、各有機電界発光素子１２−２、後述のラインバンク１３および後述のバンク１４などを支持する基材と、基材上に設けられた配線層とによって構成されている。基板１７内の基材は、可視光透過性を有する基板によって構成されている。基板１７内の基材は、例えば、無アルカリガラス、ソーダガラス、無蛍光ガラス、燐酸系ガラス、硼酸系ガラスまたは石英などによって形成されている。基板１７内の基材は、例えば、アクリル系樹脂、スチレン系樹脂、ポリカーボネート系樹脂、エポキシ系樹脂、ポリエチレン、ポリエステル、シリコーン系樹脂、またはアルミナなどによって形成されていてもよい。基板１７内の配線層には、例えば、各画素１１の画素回路１２−１が形成されている。
【００２９】
表示パネル１０は、さらに、例えば、基板１７上に、列方向に延在する複数のラインバンク１３と、行方向に延在する複数のバンク１４とを有している。複数のラインバンク１３および複数のバンク１４は、各副画素１２を区画する。複数のラインバンク１３は、各画素１１において、各副画素１２を区画する。複数のバンク１４は、各画素列において、各画素１１を区画する。各バンク１４は、互いに隣接する２つのラインバンク１３の間に設けられている。各バンク１４の両端部が、互いに隣接する２つのラインバンク１３に連結されている。つまり、各副画素１２は、互いに隣接する２つのラインバンク１３と、互いに隣接する２つのバンク１４とによって区画されている。
【００３０】
表示パネル１０は、さらに、例えば、互いに隣接する２つのラインバンク１３と、互いに隣接する２つのバンク１４とによって囲まれた領域内に、開口部１５を有している。各副画素１２において、開口部１５の底面には、後述の陽極２１の表面が露出している。そのため、開口部１５の底面に露出した陽極２１から供給される正孔と、後述の陰極２７から供給される電子とが、後述の発光層２４で再結合することにより、発光層２４で発光が生じる。従って、発光層２４のうち、開口部１５と対向する領域が、発光領域１８となる。
【００３１】
バンク１４の高さ（基板１７からの高さ）は、例えば、図４、図５からわかるように、ラインバンク１３の高さ（基板１７からの高さ）よりも低くなっている。バンク１４の高さ（基板１７からの高さ）は、例えば、有機電界発光素子１２−２における陽極２１および陰極２７の距離の半分以下の高さとなっている。
【００３２】
ラインバンク１３およびバンク１４は、例えば、絶縁性の有機材料によって形成されている。絶縁性の有機材料としては、例えば、アクリル系樹脂、ポリイミド系樹脂、ノボラック型フェノール樹脂などが挙げられる。ラインバンク１３およびバンク１４は、例えば、耐熱性、溶媒に対する耐性を持つ絶縁性樹脂によって形成されていることが好ましい。ラインバンク１３およびバンク１４は、例えば、絶縁性樹脂をフォトリソグラフィおよび現像によって所望のパターンに加工することによって形成される。ラインバンク１３の断面形状は、例えば、図４に示したような順テーパ型であってもよく、裾が狭くなった逆テーパ型、または、矩形（長方形）であってもよい。バンク１４の断面形状は、例えば、例えば、図５に示したような順テーパ型であってもよく、裾が狭くなった逆テーパ型、または、矩形（長方形）であってもよい。
【００３３】
各有機電界発光素子１２−２は、例えば、基板１７上に、陽極２１、正孔注入層２２、正孔輸送層２３、発光層２４（有機発光層）、電子輸送層２５、電子注入層２６および陰極２７をこの順に備えたものである。
【００３４】
有機電界発光素子１２−２は、例えば、発光層２４と、発光層２４を挟み込むように配置された、陽極２１および陰極２７を備えている。有機電界発光素子１２−２は、例えば、さらに、陽極２１と、発光層２４との間に、正孔注入層２２および正孔輸送層２３を陽極２１側からこの順に備えている。なお、正孔注入層２２および正孔輸送層２３のうち少なくとも一方が省略されていてもよい。有機電界発光素子１２−２は、例えば、さらに、発光層２４と、陰極２７との間に、電子輸送層２５および電子注入層２６を発光層２４側からこの順に備えている。なお、電子輸送層２５および電子注入層２６のうち少なくとも一方が省略されていてもよい。有機電界発光素子１２−２は、例えば、陽極２１、正孔注入層２２、正孔輸送層２３、発光層２４、電子輸送層２５、電子注入層２６および陰極２７を基板１７側からこの順に含んで構成された素子構造となっている。有機電界発光素子１２−２において、さらに他の機能層が含まれていてもよい。
【００３５】
正孔注入層２２は、正孔注入効率を高めるための層である。正孔輸送層２３は、陽極２１から注入された正孔を発光層２４へ輸送するための層である。発光層２４は、電子と正孔との再結合により、所定の色の光を発する層である。電子輸送層２５は、陰極２７から注入された電子を発光層２４へ輸送するための層である。電子注入層２６は、電子注入効率を高めるための層である。正孔注入層２２および電子注入層２６のうち少なくとも一方が省略されていてもよい。各有機電界発光素子１２−２は、上述以外の層をさらに有していてもよい。
【００３６】
陽極２１は、例えば、基板１７の上に形成されている。陽極２１は、例えば、可視光に対して透光性を有する透明電極である。陽極２１に用いられる透明電極の材料としては、例えば、ＩＴＯ（Ｉｎｄｉｕｍ  Ｔｉｎ  Ｏｘｉｄｅ）又はＩＺＯ（Ｉｎｄｉｕｍ  Ｚｉｎｃ  Ｏｘｉｄｅ）等の透明導電性材料が挙げられる。陽極２１の端縁は、例えば、ラインバンク１３およびバンク１４内に埋め込まれている。陽極２１の端縁がラインバンク１３およびバンク１４内に埋め込まれている場合には、各開口部１５の大きさ（具体的には、各開口部１５の底面の大きさ）を変えることにより、副画素１２のサイズ（面積）や、発光領域１８のサイズ（面積）を調整することが可能である。
【００３７】
陰極２７は、例えば、可視光に対して透光性を有する透明電極である。陰極２７に用いられる透明電極の材料としては、例えば、ＩＴＯ又はＩＺＯ等の透明導電性材料が挙げられる。本実施の形態において、陽極２１および陰極２７が透光性を有しており、有機電界発光素子１２−２自体が透光性を有している場合には、有機電界発光素子１２−２で生じた光は、映像表示面１Ａ側だけでなく、フォトクロミック層２０側にも発せられる。さらに、本実施の形態において、基板１７や後述の封止層２８が可視光に対して透光性を有している場合には、観察者は、表示パネル１０の背後を視認することが可能である。つまり、表示パネル１０は、可視光に対して透光性を有するパネル（いわゆる透明ディスプレイパネル）となっている。
【００３８】
正孔注入層２２は、陽極２１から発光層２４へ正孔の注入を促進させる機能を有する。正孔注入層２２は、例えば、銀（Ａｇ）、モリブデン（Ｍｏ）、クロム（Ｃｒ）、バナジウム（Ｖ）、タングステン（Ｗ）、ニッケル（Ｎｉ）、イリジウム（Ｉｒ）などの酸化物、あるいは、ＰＥＤＯＴ（ポリチオフェンとポリスチレンスルホン酸との混合物）などの導電性ポリマー材料によって構成されている。正孔注入層２２は、単層で構成されていてもよいし、複数の層が積層された構造となっていてもよい。
【００３９】
正孔輸送層２３は、陽極２１から注入された正孔を発光層２４へ輸送する機能を有する。正孔輸送層２３は、例えば、陽極２１から注入された正孔を発光層２４へ輸送する機能を有する材料（以下、「正孔輸送性材料２３Ｍ」と称する。）によって構成されている。正孔輸送層２３は、正孔輸送性材料２３Ｍを主成分として含んで構成されている。
【００４０】
正孔輸送層２３の原料（材料）である正孔輸送性材料２３Ｍは、例えば、アリールアミン誘導体、トリアゾール誘導体、オキサジアゾール誘導体、イミダゾール誘導体、ポリアリールアルカン誘導体、ピラゾリン誘導体及びピラゾロン誘導体、フェニレンジアミン誘導体、アミノ置換カルコン誘導体、オキサゾール誘導体、スチリルアントラセン誘導体、フルオレノン誘導体、ヒドラゾン誘導体、スチルベン誘導体、ブタジエン化合物、ポリスチレン誘導体、ヒドラゾン誘導体、トリフェニルメタン誘導体、テトラフェニルベンジン誘導体等、または、これらの組み合わせからなる材料である。正孔注入層２２と正孔輸送層２３の各材料のＨＯＭＯ(最高被占軌道，Highest occupied molecular orbital)レベルの差異は、ホール注入性を考慮すると、０．５ｅＶ以下となっていることが好ましい。
【００４１】
発光層２４は、陽極２１から注入された正孔と、陰極２７から注入された電子とが、発光層２４内で再結合することで励起子が生成されて発光する層である。発光層２４は、例えば、塗布膜である。発光層２４は、正孔と電子との再結合により励起子を生成し発光する有機材料（以下、「有機発光材料２４Ｍ」と称する。）を溶質の主成分とする溶液の塗布および乾燥により形成されている。発光層２４は、有機発光材料２４Ｍを主成分として含んで構成されている。副画素１２Ｒに含まれる有機電界発光素子１２ｒでは、有機発光材料２４Ｍが、電流印加により赤色光を発する有機材料を含んで構成されている。つまり、副画素１２Ｒは、電流印加により赤色光を発する発光層２４（有機発光層）を有している。副画素１２Ｇに含まれる有機電界発光素子１２ｇでは、有機発光材料２４Ｍが、電流印加により緑色光を発する有機材料を含んで構成されている。つまり、副画素１２Ｇは、電流印加により緑色光を発する発光層２４（有機発光層）を有している。副画素１２Ｂに含まれる有機電界発光素子１２ｂでは、有機発光材料２４Ｍが、電流印加により青色光を発する有機材料を含んで構成されている。つまり、副画素１２Ｂは、電流印加により青色光を発する発光層２４（有機発光層）を有している。副画素１２Ｕに含まれる有機電界発光素子１２ｕでは、有機発光材料２４Ｍが、電流印加により紫外光を発する有機材料を含んで構成されている。つまり、副画素１２Ｕは、電流印加により紫外光を発する発光層２４（紫外発光層）を有している。
【００４２】
発光層２４は、例えば、単層の有機発光層、または、積層された複数の有機発光層によって構成されている。発光層２４が積層された複数の有機発光層によって構成されている場合には、発光層２４は、例えば、主成分が互いに共通の複数の有機発光層を積層したものである。複数の有機発光層は、ともに、有機発光材料２４Ｍを溶質の主成分とする溶液の塗布および乾燥により形成されている。
【００４３】
発光層２４の原料（材料）である有機発光材料２４Ｍは、例えば、ドーパント材料単独であってもよいが、より好ましくは、ホスト材料とドーパント材料との組み合わせがよい。つまり、発光層２４は、有機発光材料２４Ｍとして、ホスト材料およびドーパント材料を含んで構成されている。ホスト材料は、主に電子又は正孔の電荷輸送の機能を担っており、ドーパント材料は、発光の機能を担っている。ホスト材料およびドーパント材料は１種類のみに限られるものではなく、２種類以上の組み合わせであってもよい。ドーパント材料の量は、ホスト材料に対して、０．０１重量％以上３０重量％以下であるとよく、より好ましくは、０．０１重量％以上１０重量％以下である。
【００４４】
発光層２４のホスト材料としては、例えば、アミン化合物、縮合多環芳香族化合物、ヘテロ環化合物が用いられる。アミン化合物としては、例えば、モノアミン誘導体、ジアミン誘導体、トリアミン誘導体、テトラアミン誘導体が用いられる。縮合多環芳香族化合物としては、例えば、アントラセン誘導体、ナフタレン誘導体、ナフタセン誘導体、フェナントレン誘導体、クリセン誘導体、フルオランテン誘導体、トリフェニレン誘導体、ペンタセン誘導体、または、ペリレン誘導体等が挙げられる。ヘテロ環化合物としては、例えば、カルバゾール誘導体、フラン誘導体、ピリジン誘導体、ピリミジン誘導体、トリアジン誘導体、イミダゾール誘導体、ピラゾール誘導体、トリアゾール誘導体、オキサゾール誘導体、オキサジアゾール誘導体、ピロール誘導体、インドール誘導体、アザインドール誘導体、アザカルバゾール、ピラゾリン誘導体、ピラゾロン誘導体、または、フタロシアニン誘導体等が挙げられる。
【００４５】
また、発光層２４のドーパント材料としては、例えば、ピレン誘導体、フルオランテン誘導体、アリールアセチレン誘導体、フルオレン誘導体、ペリレン誘導体、オキサジアゾール誘導体、アントラセン誘導体、または、クリセン誘導体が用いられる。また、発光層２４のドーパント材料としては、金属錯体が用いられてもよい。金属錯体としては、例えば、イリジウム（Ｉｒ）、白金（Ｐｔ）、オスミウム（Ｏｓ）、金（Ａｕ）、レニウム（Ｒｅ）、もしくは、ルテニウム（Ｒｕ）等の金属原子と配位子とを有するものが挙げられる。
【００４６】
電子輸送層２５は、陰極２７から注入された電子を発光層２４へ輸送する機能を有する。電子輸送層２５は、電子輸送性を有する有機材料（以下、「電子輸送性材料２５Ｍ」と称する。）主成分として含んで構成されている。電子輸送層２５は、例えば、蒸着膜またはスパッタ膜で構成されている。電子輸送層２５は、発光層２４から陰極２７への電荷（本実施の形態では正孔）の突き抜けを抑制する電荷ブロック機能や、発光層２４の励起状態の消光を抑制する機能等を有していることが好ましい。
【００４７】
電子輸送層２５の原料（材料）である電子輸送性材料２５Ｍは、例えば、分子内にヘテロ原子を１個以上含有する芳香族ヘテロ環化合物である。芳香族ヘテロ環化合物としては、例えば、ピリジン環、ピリミジン環、トリアジン環、ベンズイミダゾール環、フェナントロリン環、キナゾリン環等を骨格に含む化合物が挙げられる。また、電子輸送層２５は、電子輸送性を有する金属を含んでもよい。電子輸送層２５は、電子輸送性を有する金属を含むことで、電子輸送層２５の電子輸送性を向上できる。電子輸送層２５に含まれる金属としては、例えば、バリウム（Ｂａ）、リチウム（Ｌｉ）、カルシウム（Ｃａ）、カリウム（Ｋ）、セシウム（Ｃｓ）、ナトリウム（Ｎａ）、ルビジウム（Ｒｂ）、イットリビウム（Ｙｂ）等を用いることができる。
【００４８】
電子注入層２６は、陰極２７から注入された電子を電子輸送層２５、発光層２４へ注入する機能を有する。電子注入層２６は、例えば、陰極２７から電子輸送層２５、発光層２４への電子の注入を促進させる機能を有する材料（電子注入性材料）によって構成されている。上記の電子注入性材料は、例えば、電子注入性を有する有機材料に、電子注入性を有する金属がドープされたものであってもよい。電子注入層２６に含まれるドープ金属は、例えば、電子輸送層２５に含まれるドープ金属と同じ金属である。電子輸送層２５は、例えば、蒸着膜またはスパッタ膜で構成されている。
【００４９】
本実施の形態では、有機電界発光素子１２−２を構成する各層（例えば、正孔注入層２２、正孔輸送層２３発光層２４、電子郵送層２５および電子注入層２６）が、互いに隣接する２つのラインバンク１３によって囲まれた帯状の領域（溝部１６）に設けられた各副画素１２によって共有されている。
【００５０】
また、本実施の形態では、有機電界発光素子１２−２内の一部の層（例えば、正孔注入層２２、正孔輸送層２３および発光層２４）が、１つの画素１１内の各副画素１２で共有されておらず、１つの画素１１内の副画素１２ごとに別個に形成されている。つまり、有機電界発光素子１２−２内の一部の層（例えば、正孔注入層２２、正孔輸送層２３および発光層２４）は、例えば、図４に示したように、ラインバンク１３を避けて形成されている。また、本実施の形態では、有機電界発光素子１２−２内の一部の層（例えば、電子輸送層２５および電子注入層２６）が、１つの画素１１内の各副画素１２で共有されている。つまり、有機電界発光素子１２−２内の一部の層（例えば、電子輸送層２５および電子注入層２６）は、例えば、図４に示したように、ラインバンク１３を乗り越えて形成されている。また、本実施の形態では、陰極２７は、表示パネル１０の表示領域全体に渡って形成されている。
【００５１】
有機電界発光素子１２−２は、さらに、例えば、図４、図５に示したように、有機電界発光素子１２−２を保護および封止する層（封止層２８）を有している。封止層２８は、例えば、エポキシ樹脂や、ビニル系樹脂、アクリル系樹脂、シリコーン系樹脂などの樹脂材料によって形成されている。
【００５２】
[効果]
次に、本実施の形態の表示パネル１０およびそれを備えた表示装置１の効果について説明する。
【００５３】
本実施の形態では、表示パネル１０、フォトクロミック層２０および紫外光吸収層３０が設けられている。このとき、映像表示時には、例えば、図６に示したように、副画素１２Ｒからは赤色光Ｌｒが、副画素１２Ｇからは緑色光Ｌｇが、副画素１２Ｂからは青色光Ｌｒが、副画素１２Ｕからは紫外光Ｌｕが発せられる。これにより、副画素１２Ｕから発せられた紫外光がフォトクロミック層２０に照射され、フォトクロミック層２０が所定の色に発色する。フォトクロミック化合物がアゾベンゼンまたはフルギドである場合には、フォトクロミック層２０は紫外光により燈色に発色する。フォトクロミック化合物がスピロピランまたはジアリ−ルエテン誘導体である場合には、フォトクロミック層２０は紫外光により青色に発色する。その結果、例えば、各画素１１によって生成された映像の背後に、フォトクロミック層２０によって生成された背景が重ね合わされるので、映像表示面１Ａにおけるコントラストが改善される。従って、コントラスト低下などによる視認性の悪化を低減することができる。
【００５４】
また、本実施の形態では、フォトクロミック層２０および紫外光吸収層３０は、発光層２４（表示パネル１０）から見て映像表示面１Ａとは反対側にこの順で設けられている。これにより、フォトクロミック層２０が紫外光により所定の色に発色したときに、各画素１１によって生成された映像が、フォトクロミック層２０によって遮られることがなく、フォトクロミック層２０によって生成された背景によって、各画素１１によって生成された映像のコントラストが改善される。従って、コントラスト低下などによる視認性の悪化を低減することができる。
【００５５】
また、本実施の形態では、各画素１１は、赤色発光層，緑色発光層および青色発光層を含む副画素１２ｒ，１２ｇ，１２ｂ（第１副画素）と、紫外発光層を含む副画素１２ｕ（第２副画素）とを含んで構成されている。これにより、例えば、一般的なＲＧＢ発光をする有機電界表示パネルの各画素に対して紫外光用の副画素を追加するだけで、本実施の形態に係る表示パネル１０を形成することができる。
【００５６】
また、本実施の形態では、表示パネル１０は、映像表示面１Ａ内に、当該表示パネル１０の背後からの可視光を透過する光透過領域を有している。例えば、各有機電界発光素子１２−２、基板１７に含まれる基材、および封止層２８が可視光に対して透光性を有している場合には、例えば、映像表示面１Ａのうち、少なくとも開口部１５と対向する箇所が、光透過領域となる。これにより、光透過領域を介して、表示パネル１０の背後に入射した可視光が表示パネル１０の前面に透過する。その結果、観察者は、表示パネル１０の背後を、表示パネル１０を介して視認することができる。
【００５７】
＜２．変形例＞
次に、上記実施の形態に係る表示パネル１０の変形例について説明する。
【００５８】
[変形例Ａ]
図７は、上記実施の形態に係る表示パネル１０における各画素１１の一変形例を表したものである。本変形例では、上記実施の形態に係る各画素１１において副画素１２Ｕが省略されており、上記実施の形態に係る各画素１１における副画素１２Ｂが青色光および紫外光を含む光を発するように構成されている。つまり、本変形例では、副画素１２Ｂに含まれる有機電界発光素子１２−２が、電流印加により可視光および紫外光を含む光を発する有機層（発光層２４）によって構成されている。
【００５９】
これにより、映像表示時には、例えば、図７に示したように、副画素１２Ｒからは赤色光Ｌｒが、副画素１２Ｇからは緑色光Ｌｇが、副画素１２Ｂからは青色光Ｌｒおよび紫外光Ｌｕが発せられる。これにより、副画素１２Ｂから発せられた紫外光がフォトクロミック層２０に照射され、フォトクロミック層２０が所定の色に発色する。フォトクロミック化合物がアゾベンゼンまたはフルギドである場合には、フォトクロミック層２０は紫外光により燈色に発色する。フォトクロミック化合物がスピロピランまたはジアリ−ルエテン誘導体である場合には、フォトクロミック層２０は紫外光により青色に発色する。その結果、例えば、各画素１１によって生成された映像の背後に、フォトクロミック層２０によって生成された背景が重ね合わされるので、映像表示面１Ａにおけるコントラストが改善される。従って、コントラスト低下などによる視認性の悪化を低減することができる。
【００６０】
また、本変形例では、各画素１１は、赤色発光層，緑色発光層および青色・紫外光発光層を含む副画素１２ｒ，１２ｇ，１２ｂを含んで構成されている。つまり、副画素１２Ｂに含まれる有機電界発光素子１２−２が、電流印加により可視光および紫外光を含む光を発する有機層（発光層２４）によって構成されている。これにより、例えば、一般的なＲＧＢ発光をする有機電界表示パネルの各画素の青色画素を青色・紫外光用の副画素に置き換えるだけで、本変形例に係る表示パネル１０を形成することができる。
【００６１】
[変形例Ｂ]
図８は、上記実施の形態に係る表示装置１の概略構成の一変形例を表したものである。本変形例に係る表示装置１は、副画素１２Ｕの代わりに、電流印加により紫外光を発する紫外発光層１９が設けられた表示パネル１０を備えている。紫外発光層１９は、例えば、図８に示したように、各発光層２４（または各副画素１２Ｒ，１２Ｇ，１２Ｂ）から見て映像表示面１Ａとは反対側に設けられている。つまり、本変形例では、紫外発光層１９は、例えば、各発光層２４（または各副画素１２Ｒ，１２Ｇ，１２Ｂ）の直下に設けられている。紫外発光層１９は、例えば、図９に示したように、赤色の発光層２４（または赤色の発光層２４を含む有機電界発光素子１２−２），緑色の発光層２４（または緑色の発光層２４を含む有機電界発光素子１２−２）および青色の発光層２４（または青色の発光層２４を含む有機電界発光素子１２−２）のうち少なくとも１つと電気的に直列に接続されている。このように、本変形例では、有機電界発光素子１２−２の電流パス内に、紫外発光層１９が設けられているので、紫外発光層１９に電流を供給する回路を、画素回路１２−１とは別個に設ける必要がない。その結果、少ない部品点数で、本変形例に係る表示パネル１０を形成することができる。
【００６２】
[変形例Ｃ]
図１０は、上記実施の形態に係る表示装置１の概略構成の一変形例を表したものである。本変形例に係る表示装置１では、副画素１２Ｕが省略されている。本変形例に係る表示装置１は、表示パネル１０と、フォトクロミック層２０との間に導光板４０を備えており、さらに、導光板４０のエッジに紫外光を照射するエッジライト６０（紫外光源）を備えている。導光板４０は、導光板４０のエッジから入射した光を表示パネル１０側に向けて照射する。
【００６３】
エッジライト６０は、導光板４０の少なくとも１つのエッジに沿って設けられている。エッジライト６０は、例えば、導光板４０のエッジのうちエッジライト６０と対向する部分に一斉に光を照射するようになっている。このとき、導光板４０は、導光板４０のエッジから入射した光を、導光板４０の下面（フォトクロミック層２０側の面）全体から出射する。つまり、このとき、導光板４０は、面発光源（面紫外光源）として機能する。
【００６４】
エッジライト６０が、例えば、図１１に示したように、導光板４０の１つのエッジと対向する部分に設けられたエッジライト６１と、導光板４０のエッジのうち、エッジライト６１と対向するエッジと直交するエッジと対向する部分に設けられたエッジライト６２とによって構成されていてもよい。このとき、エッジライト６１，６２は、互いに独立して紫外光を導光板４０のエッジに部分的に照射する。エッジライト６１から出射された紫外光Ｌｕ１と、エッジライト６２から出射された紫外光Ｌｕ２は、導光板４０内において交差する。その結果、導光板４０は、紫外光Ｌｕ１と紫外光Ｌｕ２とが互いに交差した箇所と対向する位置において局所的に強度の高い紫外光を導光板４０の下面から出射する。つまり、このとき、導光板４０は、エッジライト６１，６２によって強度分布を制御された紫外光を下面側から出射する面発光源（面紫外光源）として機能する。
【００６５】
これにより、映像表示時には、導光板４０の下面から紫外光をフォトクロミック層２０に向けて照射することにより、フォトクロミック層２０が所定の色に発色する。フォトクロミック化合物がアゾベンゼンまたはフルギドである場合には、フォトクロミック層２０は紫外光により燈色に発色する。フォトクロミック化合物がスピロピランまたはジアリ−ルエテン誘導体である場合には、フォトクロミック層２０は紫外光により青色に発色する。その結果、例えば、各画素１１によって生成された映像の背後に、フォトクロミック層２０によって生成された背景が重ね合わされるので、映像表示面１Ａにおけるコントラストが改善される。従って、コントラスト低下などによる視認性の悪化を低減することができる。
【００６６】
[変形例Ｄ]
図１２は、上記変形例Ｂに係る表示装置１の概略構成の一変形例を表したものである。本変形例に係る表示装置１では、フォトクロミック層２０および紫外光吸収層３０は、各発光層２４（各副画素１２Ｒ，１２Ｇ，１２Ｂ）から見て映像表示面１Ａ側にこの順で設けられている。本変形例では、紫外光吸収層３０の上面が映像表示面１Ａとなっている。本変形例において、表示パネル１０は、各発光層２４（各副画素１２Ｒ，１２Ｇ，１２Ｂ）から見て映像表示面１Ａ側に、電流印加により紫外光を発する紫外発光層１９を有している。本変形例に係る表示装置１は、スイッチ７０を更に備えている。紫外発光層１９は、例えば、図１２に示したように、スイッチ７０を介して、赤色の発光層２４（または副画素１２Ｒ），緑色の発光層２４（または副画素１２Ｇ）および青色の発光層２４（または副画素１２Ｂ）と電気的に並列に接続されている。
【００６７】
これにより、コントローラ４０およびドライバ５０は、スイッチ７０を制御することにより、発光層２４への電流印加と、紫外発光層１９への電流印加とを切り替えることができる。その結果、発光層２４へ電流が印加されている時は、映像が表示される。一方、紫外発光層１９へ電流が印加されている時は、紫外発光層１９から発せられた紫外光がフォトクロミック層２０に入射し、フォトクロミック層２０が所定の色に発色する。このとき、フォトクロミック層２０の発色が、周囲の環境になじむ色となっている場合には、周囲の環境下で画面が不自然に目立つのを抑制することができる。
【００６８】
[変形例Ｅ]
上記実施の形態およびその変形例では、映像表示面１Ａのうち、各有機電界発光素子１２−２と対向する箇所が、光透過領域となっていた。しかし、上記実施の形態およびその変形例において、各画素１１が、例えば、表示パネル１０の背後からの可視光を透過する光透過領域を有する副画素（非表示画素）を、映像表示に用いられる副画素１２とは別個に有していてもよい。また、上記実施の形態およびその変形例において、表示パネル１０が、例えば、表示パネル１０の背後からの可視光を透過する光透過領域を有する非表示画素を、映像表示に用いられる画素１１とは別個に有していてもよい。これらの場合、各有機電界発光素子１２−２において、陽極２１が、例えば、アルミニウム（Ａｌ）、銀（Ａｇ）、アルミニウムもしくは銀の合金等、または、反射性を有する反射電極となっていてもよい。このような構成となっている場合であっても、フォトクロミック層２０によって、コントラスト低下などによる視認性の悪化を低減したり、周囲の環境下で画面が不自然に目立つのを抑制したりすることができる。
【００６９】
＜３．適用例＞
[適用例その１]
以下では、上記実施の形態およびその変形例に係る表示装置１の適用例について説明する。上記実施の形態およびその変形例に係る表示装置１は、テレビジョン装置、デジタルカメラ、ノート型パーソナルコンピュータ、シート状のパーソナルコンピュータ、携帯電話等の携帯端末装置あるいはビデオカメラなど、外部から入力された映像信号あるいは内部で生成した映像信号を、画像あるいは映像として表示するあらゆる分野の電子機器の表示装置に適用することが可能である。
【００７０】
図１３は、本適用例に係る電子機器２の外観を斜視的に表したものである。電子機器２は、例えば、筐体３１０の主面に表示面３２０を備えたシート状のパーソナルコンピュータである。電子機器２は、電子機器２の表示面３２０に、上記実施の形態およびその変形例に係る表示装置１を備えている。上記実施の形態およびその変形例に係る表示装置１は、表示パネル１０が電子機器２の表面側を向くように配置されている。本適用例では、上記実施の形態およびその変形例に係る表示装置１が表示面３２０に設けられているので、コントラストの高い電子機器２を実現することができる。
【００７１】
以上、実施の形態を挙げて本開示を説明したが、本開示は実施の形態に限定されるものではなく、種々変形が可能である。なお、本明細書中に記載された効果は、あくまで例示である。本開示の効果は、本明細書中に記載された効果に限定されるものではない。本開示が、本明細書中に記載された効果以外の効果を持っていてもよい。
【００７２】
また、例えば、本開示は以下のような構成を取ることができる。
（１）
映像表示面と、前記映像表示面の下に設けられ、有機発光層を含む複数の画素とを有する表示パネルと、
紫外光により発色し可視光により消色もしくは淡色化するフォトクロミック層と、
紫外光吸収層と
を備えた
表示装置。
（２）
前記フォトクロミック層および前記紫外光吸収層は、前記有機発光層から見て前記映像表示面とは反対側にこの順で設けられている
（１）に記載の表示装置。
（３）
前記有機発光層は、電流印加により可視光および紫外光を含む光を発する有機層によって構成されている
（１）または（２）に記載の表示装置。
（４）
前記表示パネルは、電流印加により紫外光を発する紫外発光層を更に有する
（１）または（２）に記載の表示装置。
（５）
前記紫外発光層は、前記有機発光層と電気的に直列に接続されている
（４）に記載の表示装置。
（６）
前記画素は、前記有機発光層を含む第１副画素と、前記紫外発光層を含む第２副画素とを含んで構成されている
（４）に記載の表示装置。
（７）
前記紫外発光層は、前記有機発光層から見て前記映像表示面とは反対側に設けられている
（５）に記載の表示装置。
（８）
前記表示パネルと、前記フォトクロミック層との間に設けられた導光板と、
前記導光板のエッジに紫外光を照射する紫外光源と
を更に備えた
（１）または（２）に記載の表示装置。
（９）
前記フォトクロミック層および前記紫外光吸収層は、前記有機発光層から見て前記映像表示面側にこの順で設けられている
（１）に記載の表示装置。
（１０）
前記表示パネルは、前記有機発光層から見て前記映像表示面側に、電流印加により紫外光を発する紫外発光層を更に有する
（９）に記載の表示装置。
（１１）
前記紫外発光層は、スイッチを介して、前記有機発光層と電気的に並列に接続されており、
当該表示装置は、前記表示パネルを駆動する駆動部を更に備え、
前記駆動部は、前記スイッチを制御することにより、前記有機発光層への電流印加と、前記紫外発光層への電流印加とを切り替える
（１０）に記載の表示装置。
（１２）
前記表示パネルは、前記映像表示面内に、当該表示パネルの背後からの可視光を透過する光透過領域を有する
（１）から（１１）のいずれか１つに記載の表示装置。
【符号の説明】
【００７３】
１…表示装置、１Ａ…映像表示面、２…電子機器、１０…表示パネル、１１…画素、１２，１２Ｒ，１２Ｇ，１２Ｂ，１２Ｕ…副画素、１２−１…画素回路、１２−２，１２−２ｒ，１２−２ｇ，１２−２ｂ，１２−２ｕ…有機電界発光素子、１３…ラインバンク、１４…バンク、１５…開口部、１６…溝部、１７…基板、１８…発光領域、１９…紫外発光層、２０…フォトクロミック層、２１…陽極、２２…正孔注入層、２３…正孔輸送層、２４…発光層、２４Ａ…発光領域、２４ｒ，２４ｇ，２４ｂ…インク液、２５…電子輸送層、２６…電子注入層、２７…陰極、２８…封止層、３０…紫外光吸収層、４０…コントローラ、５０…ドライバ、５１…水平セレクタ、５２…ライトスキャナ、３１０…筐体、３２０…表示面、Ｔｒ１…駆動トランジスタ、Ｔｒ２…選択トランジスタ、Ｃｓ…保持容量、ＤＳＬ…電源線、ＤＴＬ…信号線、Ｖｇｓ…ゲート−ソース間電圧、Ｖｓｉｇ…信号電圧、ＷＳＬ…選択線。
【図１】
2019186503.tif 000003
【図２】
2019186503.tif 000004
【図３】
2019186503.tif 000005
【図４】
2019186503.tif 000006
【図５】
2019186503.tif 000007
【図６】
2019186503.tif 000008
【図７】
2019186503.tif 000009
【図８】
2019186503.tif 000010
【図９】
2019186503.tif 000011
【図１０】
2019186503.tif 000012
【図１１】
2019186503.tif 000013
【図１２】
2019186503.tif 000014
【図１３】
2019186503.tif 000015